(57)【要約】【課題】アクセサリを有する栞において、書物のページ間に挟んでも嵩張らず、かつ書物のページが傷付くことを防止した栞の提供。【解決手段】書物Ｂ周縁部に着脱可能に取り付けられるクリップ２と、このクリップ２に対して書物のページ面と平行な平面上にある軸周りに回動可能に支持されたフック３と、書物のページ面に挟み込まれる平板状のアクセサリ４であって、平板面に貫通孔４ｂを有するアクセサリ４と、フック３の環３ｂ内およびアクセサリ４の貫通孔４ｂにそれぞれ挿通されて、取り付けられた帯状体５とから構成される。【選択図】図１
2010017970.tif 000002
【特許請求の範囲】
【請求項１】
書物の周縁部に着脱可能に取り付けられる取付具と、
この取付具に対して前記書物のページ面と平行な平面上にある軸周りに回動可能に支持された環状部材と、
前記書物のページ面に挟み込まれる平板状のアクセサリであって、平板面に貫通孔を有するアクセサリと、
前記環状部材の環内および前記アクセサリの貫通孔にそれぞれ挿通されて、取り付けられた帯状体と
から構成される栞。
【請求項２】
前記環状部材は、前記書物のページの周縁に対して平行な軸周りに回動可能に支持されるものである請求項１記載の栞。
【請求項３】
前記帯状体は、前記環状部材の環内および前記アクセサリの貫通孔に挿通されて環状に形成されたものであり、前記環状部材側で固定部材により固定されたものである請求項１または２に記載の栞。
【請求項４】
前記アクセサリの貫通孔に挿通された帯状体の両方を束ねる束部材を備えた請求項３記載の栞。
【請求項５】
前記環状部材は、前記取付具側と帯状体側とが平行となるように形成されたものである請求項１から４のいずれかに記載の栞。
【発明の詳細な説明】
【技術分野】
【０００１】
本発明は、書物のページ間に挟んで目印とするための栞に関する。
【背景技術】
【０００２】
書物の読みかけのページや重要ページなどの目印として栞が使用されている。この種の栞として、例えば特許文献１には、本の一部を着脱自在に挟持する形態の取付具に円環状の通し部材を取り付けると共に、通し部材に長尺のチェーンを挿通させて、挿通部を介して両方のチェーンの長さを変更可能とし、さらにチェーンの両端に通し部材からの抜け止め部を設け、かつ抜け止め部がチェーンとは別体のアクセサリであるとしたページはさみが記載されている。
【０００３】
【特許文献１】登録実用新案第３０１４８１１号公報
【発明の開示】
【発明が解決しようとする課題】
【０００４】
上記特許文献１に記載のページはさみでは、複数の輪環が互いに９０°の方向に組み合わされたチェーンが使用されているため、書物のページ間に挟んだ場合に厚みができて嵩張ってしまい、本をしっかりと閉じることができなくなる。また、チェーンの先には平たいアクセサリが設けられているが、このアクセサリとチェーンとの連結部では輪環の平たい方の面がアクセサリの平たい方の面に対して９０°の方向になってしまうため、輪環の外周面で書物を傷付けてしまうという問題がある。
【０００５】
そこで、本発明では、アクセサリを有する栞において、書物のページ間に挟んでも嵩張らず、かつ書物のページが傷付くことを防止した栞を提供することを目的とする。
【課題を解決するための手段】
【０００６】
本発明の栞は、書物の周縁部に着脱可能に取り付けられる取付具と、この取付具に対して書物のページ面と平行な平面上にある軸周りに回動可能に支持された環状部材と、書物のページ面に挟み込まれる平板状のアクセサリであって、平板面に貫通孔を有するアクセサリと、環状部材の環内およびアクセサリの貫通孔にそれぞれ挿通されて、取り付けられた帯状体とから構成されるものである。
【０００７】
本発明の栞は、取付具を書物の周縁部に取り付け、帯状体および平板状のアクセサリを書物のページ間に挟んで使用する。このとき、平板状のアクセサリは、その平板面が書物のページ面に沿って平行に配置される。このアクセサリは、その平板面に設けられた貫通孔に挿通されて取り付けられた帯状体により取付具と連結されており、書物のページ間に挟まれた際に帯状体の広い面がアクセサリの平板面と平行となるので、嵩張らない。
【０００８】
ここで、環状部材は、書物のページの周縁に対して平行な軸周りに回動可能に支持されるものであることが望ましい。これにより、帯状体およびアクセサリを書物のページ間に挟んだり、書物のページ間から取り出したりする場合に、この書物のページの周縁に対して平行な軸回りに回動させることができる。
【０００９】
また、帯状体は、環状部材の環内およびアクセサリの貫通孔に挿通されて環状に形成されたものであり、環状部材側で固定部材により固定されたものであることが望ましい。これにより、環状に形成された帯状体を固定する固定部材が書物のページの間に配置されないようにすることができる。
【００１０】
また、本発明の栞は、アクセサリの貫通孔に挿通された帯状体の両方を束ねる束部材を備えたものであることが望ましい。これにより、環状の帯状体が挿通されたアクセサリが、環状の帯状体の端部に固定されるため、アクセサリを書物のページ間に挟んだり、書物のページ間から取り出したりする際に、アクセサリの移動が規制される。
【００１１】
また、環状部材は、取付具側と帯状体側とが平行となるように形成されたものであることが望ましい。これにより、帯状体およびアクセサリを書物のページ間に挟んだり、書物のページ間から取り出したりする場合に、この書物のページの周縁に対して平行な軸に直交する平面内で回動させることができる。
【発明の効果】
【００１２】
（１）書物の周縁部に着脱可能に取り付けられる取付具と、この取付具に対して書物のページ面と平行な平面上にある軸周りに回動可能に支持された環状部材と、書物のページ面に挟み込まれる平板状のアクセサリであって、平板面に貫通孔を有するアクセサリと、環状部材の環内およびアクセサリの貫通孔にそれぞれ挿通されて、取り付けられた帯状体とから構成される栞によれば、帯状体およびアクセサリが書物のページ間に挟まれた際に、帯状体の広い面がアクセサリの平板面と平行となるので、これらが書物のページ間で嵩張ることがなく、書物のページが傷付くこともない。
【００１３】
（２）環状部材が、書物のページの周縁に対して平行な軸周りに回動可能に支持されるものであることにより、帯状体およびアクセサリを書物のページ間に挟んだり、書物のページ間から取り出したりする場合に、この書物のページの周縁に対して平行な軸回りに回動させることができるため、自然な感覚で違和感なく操作することが可能となる。
【００１４】
（３）帯状体が、環状部材の環内およびアクセサリの貫通孔に挿通されて環状に形成されたものであり、環状部材側で固定部材により固定されたものであることにより、環状に形成された帯状体を固定する固定部材が書物のページの間に配置されないようにして、固定部材が嵩張るのを防止することができる。
【００１５】
（４）アクセサリの貫通孔に挿通された帯状体の両方を束ねる束部材を備えたものであることにより、環状の帯状体が挿通されたアクセサリが、環状の帯状体の端部に固定されるため、アクセサリを書物のページ間に挟んだり、書物のページ間から取り出したりする際に、アクセサリの移動が規制されているため、操作しやすくなる。
【００１６】
（５）環状部材が、取付具側と帯状体側とが平行となるように形成されたものであることにより、帯状体およびアクセサリを書物のページ間に挟んだり、書物のページ間から取り出したりする場合に、この書物のページの周縁に対して平行な軸に直交する平面内で回動させることができるため、容易に操作することが可能となる。
【発明を実施するための最良の形態】
【００１７】
図１は本発明の実施の形態における栞の斜視図、図２は右側面図、図３は書物への取り付け状態を示す図である。図１から図３に示すように、本発明の実施の形態における栞１は、書物Ｂの周縁部に着脱可能に取り付けられる取付具としてのクリップ２と、クリップ２に対して回動可能に支持された環状部材としてのフック３と、書物のページ面に挟み込まれる平板状のアクセサリ４と、フック３とアクセサリ４とを連結する帯状体５とから構成される。
【００１８】
クリップ２は、書物Ｂの表表紙や裏表紙を挟持する挟持部２０と、フック３を回動可能に支持する回動支持部２１とを有する。挟持部２０は、胴体２０ａと、胴体２０ａの裏面に固定されたバネ材２０ｂとから構成される。バネ材２０ｂは回動支持部２１に近い側が胴体２０ａに固定されており、挟持部２０はこのバネ材２０ｂが固定された側を除く三方が開放されている。なお、以下の説明においては、胴体２０ａに固定されているバネ材２０ｂ部分の図２の上面側を挟持部２０の底部２０ｃと称する。
【００１９】
回動支持部２１は、中空の筒状体により構成されている。フック３は、図３に示すように、針金を略Ｃ形状に曲げることより環状に形成されたものである。但し、本実施形態においては、フック３はクリップ２側と帯状体５側とが平行になるように、かつクリップ２側が離間するように形成されている。フック３は、この離間部を構成する両端部３ａを、回動支持部２１の中空部２１ａ内へ挿入するようにして、クリップ２へ取り付けられる。これにより、フック３は、クリップ２の回動支持部２１によって、中空部２１ａの中心軸（以下、「回動軸」と称す。）周りに回動可能に支持される。
【００２０】
アクセサリ４は、アルミニウム、ステンレス鋼、プラスチックや木などの平板を矩形状に成形したものである。アクセサリ４は、その最も広い面（平板面）４ａに平板を厚み方向に貫通する貫通孔４ｂを有する。貫通孔４ｂは帯状体５の幅よりも若干広い長穴である。なお、アクセサリ４の形状は、図に示す矩形状以外にも丸形状、楕円形状や星形状などの様々な形状とすることが可能である。
【００２１】
帯状体５は、クリップ２に回動可能に支持されたフック３の環３ｂ内と、アクセサリ４の貫通孔４ｂとにそれぞれ挿通され、環状に形成されて取り付けられる。但し、環状に形成された帯状体５は、アクセサリ４側では固定されず、フック３に近い側で固定部材としての加締め部材６により固定される。なお、本実施形態においては、アクセサリ４側に、帯状体５の開き止めのために帯状体５の両方を束ねる束部材７を備えている。
【００２２】
次に、上記構成の栞１の使用方法について説明する。
図３に示すように、クリップ２を、挟持部２０の開放部分から書物Ｂの表表紙や裏表紙の周縁を挟み込むように取り付け、挟持部２０の底部２０ｃが書物Ｂの周縁に当接するように配置する。この状態においては、回動支持部２１の回動軸は、書物Ｂの表表紙や裏表紙、ひいてはページの周縁よりも外側にあり、かつ周縁に対して平行な軸となっている。
【００２３】
したがって、帯状体５およびアクセサリ４を書物Ｂのページ間に挟み込む場合には、図４に示すように、帯状体５は書物Ｂのページの周縁の外側で、周縁に対して平行な軸周りに回動させることができる。このとき、帯状体５の広い面５ａとアクセサリ４の平板面４ａとが、回動支持部２１の回動軸に対して平行を維持したまま書物Ｂの内側へ回動するので、図５に示すようにアクセサリ４の平板面４ａを書物Ｂのページ面に沿って平行となるように挟み込むことが容易であり、自然な感覚で違和感なく操作することができる。
【００２４】
特に、本実施形態における栞１では、フック３が、クリップ２側と帯状体５側とが平行となるように形成されたものであるため、帯状体５およびアクセサリ４を書物Ｂのページ間に挟んだりする場合に、この書物Ｂのページの周縁に対して平行な軸に直交する平面内で回動させることができるため、容易に操作することが可能である。
【００２５】
このように、アクセサリ４の平板面４ａが書物Ｂのページ面に沿って平行に配置された栞１では、帯状体５の広い面５ａがアクセサリ４の平板面４ａと平行となるので、ページを閉じた際に嵩張ることがなく、書物Ｂのページが傷付かない。また、この栞１では、帯状体５がフック３の環３ｂ内およびアクセサリ４の貫通孔４ｂに挿通されて環状に形成され、この環状に形成された帯状体５を固定する加締め部材６がフック３に近い側に配置されており、図６に示すように書物Ｂを閉じた際に書物Ｂのページの周縁の外側に位置するため、この加締め部材６がページ間に挟み込まれることもない。
【００２６】
また、本実施形態における栞１では、さらなる装飾性を持たせるために、図７に示すようにクリップ２の胴体２０ａの先端に貫通孔２２が設けられている。利用者は、この貫通孔２２を利用して装飾物８を取り付けたり、予め取り付けられている装飾物８が不要な場合には取り外したりすることができる。この貫通孔２２に取り付けられる装飾物８は、書物Ｂの表表紙または裏表紙の外側に配置されるため、アクセサリ４のように平板状である必要はなく、形状を任意に選択することができる。
【００２７】
なお、クリップ２の挟持部２０の底部２０ｃが書物Ｂの周縁に当接しない状態であっても、回動支持部２１の回動軸は、書物Ｂの外側で、表表紙、裏表紙やページ面と平行な平面上にあるので、アクセサリ４の平板面４ａを書物Ｂのページ面に対して平行となるように挟み込むことが容易であることに変わりない。
【００２８】
一方、書物Ｂのページ間に挟み込まれた帯状体５およびアクセサリ４を、ページ間から取り出す場合は、ページ間に挟み込む場合と逆の操作を行えば良い。これにより、帯状体５の広い面５ａとアクセサリ４の平板面４ａとが、回動支持部２１の回動軸に対して平行を維持したまま書物Ｂの外側へ回動するので、図８に示すようにページ間から取り出して書物Ｂの外側で待機させておくことが可能である。そして、再度この位置から書物Ｂの内側へ回動させ、容易にページ間へ挟み込むことが可能である。
【００２９】
また、本実施形態における栞１では、束部材７によってアクセサリ４が、環状の帯状体５の端部に固定されているため、アクセサリ４を書物Ｂのページ間に挟んだり、書物Ｂのページ間から取り出したりする際に、アクセサリ４の移動が規制されて操作しやすい。
【００３０】
また、本実施形態における栞１では、帯状体５が所定幅を有することから、帯状体５を皮革や布地などにより形成し、印刷、刻印、刺繍、型押しや焼き印などの方法により名入れなどを行うことが可能である。このような栞１は、広告媒体として使用することができ、販売促進に有効である。
【産業上の利用可能性】
【００３１】
本発明は、書物のページ間に挟んで目印として使用するためのアクセサリを有する栞として有用であり、特に、書物のページ間に挟んでも嵩張らず、かつ書物のページが傷付くことを防止した栞として好適である。
【図面の簡単な説明】
【００３２】
【図１】本発明の実施の形態における栞の斜視図である。
【図２】図１の栞の右側面図である。
【図３】図１の栞の書物への取り付け状態を示す図である。
【図４】図１の栞のアクセサリおよび帯状体の回動操作中の様子を示す図である。
【図５】図１の栞のアクセサリおよび帯状体を書物の内側へ配置した状態を示す図である。
【図６】図１の栞のアクセサリおよび帯状体を書物のページ間へ挟み込んだ状態を示す図である。
【図７】図１の栞のアクセサリおよび帯状体を書物のページ間へ挟み込んだ状態で表紙側からみた図である。
【図８】図１の栞のアクセサリおよび帯状体を書物の外側へ配置した状態を示す図である。
【符号の説明】
【００３３】
１  栞
２  クリップ
３  フック
４  アクセサリ
４ｂ  貫通孔
５  帯状体
６  加締め部材
７  束部材
２０  挟持部
２０ａ  胴体
２０ｂ  バネ材
２０ｃ  底部
２１  回動支持部
２１ａ  中空部
２２  貫通孔
【図１】
2010017970.tif 000003
【図２】
2010017970.tif 000004
【図３】
2010017970.tif 000005
【図４】
2010017970.tif 000006
【図５】
2010017970.tif 000007
【図６】
2010017970.tif 000008
【図７】
2010017970.tif 000009
【図８】
2010017970.tif 000010
【手続補正書】
【提出日】平成21年10月5日(2009.10.5)
【手続補正１】
【補正対象書類名】特許請求の範囲
【補正対象項目名】全文
【補正方法】変更
【補正の内容】
【特許請求の範囲】
【請求項１】
書物の周縁部に着脱可能に取り付けられる取付具と、
この取付具に対して前記書物のページ面と平行な平面上にある軸周りに回動可能に支持された環状部材と、
前記書物のページ面に挟み込まれる平板状のアクセサリであって、平板面に貫通孔を有するアクセサリと、
前記環状部材の環内および前記アクセサリの貫通孔にそれぞれ挿通されて全体で環状に形成された帯状体であり、前記環状部材側で固定部材により固定され、かつ前記アクセサリ側で束部材により束ねられた帯状体と
から構成される栞。
【請求項２】
前記環状部材は、前記書物のページの周縁に対して平行な軸周りに回動可能に支持されるものである請求項１記載の栞。
【請求項３】
前記環状部材は、前記取付具側と帯状体側とが平行となるように形成されたものである請求項１または２に記載の栞。